(57)【要約】本発明は、ケーブルモデムの消費電力を制御するケーブルモデムに備えた上り電力制御システムである。この電力制御システムには、ケーブルネットワークへ送信するための上り通信信号を同期化し、また、ケーブルネットワークへ送信するための上り制御信号を出力し、また、上り制御信号を出力するＭＡＣチップ（１２）と、同期化された上り通信信号を受信する上り増幅器（１１）、及びプログラム可能な複合論理回路（ＣＰＬＤ）（１３）と、が含まれる。ＣＰＬＤは、通信信号が送信される間、上り増幅器の電源がオンになり、送信されない時、電源がオフになるように、上り制御信号に応答して上り増幅器（１１）を制御する。これによって、ケーブルモデムが消費する電力が低減される。
2004533147.tif 000002
【特許請求の範囲】
【請求項１】
下り通信信号を受信し、また、上り通信信号をケーブルネットワークに送信するためのケーブルモデムであって、消費電力を制御するための上り電力制御システムを有する前記ケーブルモデムにおいて、
上り通信信号を同期し、また、上り制御信号を出力するためのＭＡＣチップと、
前記ＭＡＣチップから同期化された上り通信信号を受信するための上り増幅器と、
前記ＭＡＣチップと前記上り増幅器とに接続されたプログラム可能な複合論理回路（ＣＰＬＤ）であって、前記ＣＰＬＤが、上り信号の送信の間、前記上り増幅器の電源をオンし、前記上り信号が送信されない時は、電源をオフするように、前記ＭＡＣチップからの上り制御信号に応答して前記増幅器を制御し、これによって、ケーブルモデムの消費電力を低減する前記ＣＰＬＤと、が含まれるケーブルモデム。
【請求項２】
請求項１に記載のケーブルモデムであって、
前記ＣＰＬＤは、前記上り増幅器をＲＦチューナに接続して前記上りデータ信号を前記ヘッドエンドに送信するための増幅器切換信号と、前記上り増幅器の電源のオン及びオフ用増幅器制御信号と、を生成するケーブルモデム。
【請求項３】
請求項２に記載のケーブルモデムであって、
前記ＣＰＬＤは、前記増幅器制御信号が生成された後、前記増幅器切換信号を生成し、これによって、前記上り増幅器を安定化させるケーブルモデム。
【請求項４】
請求項３に記載のケーブルモデムであって、
前記ＣＰＬＤは、前記ＣＰＬＤが前記増幅器切換信号の生成を停止した後、前記増幅器制御信号の生成を継続し、これによって、前記上りデータ信号の打切りが回避されるケーブルモデム。
【請求項５】
ケーブルモデム用の上り電力制御の方法であって、
制御信号と共に選択的に上り非増幅通信信号を生成する段階と、
上り増幅器は、前記非増幅信号が生成された場合、電源がオンになり前記非増幅信号を増幅し、また、上り通信信号が生成されない場合、電源がオフになるように、前記制御信号に応答して上り増幅器を制御する段階であって、これによって、前記ケーブルモデムの消費電力を低減する前記段階と、が含まれる方法。
【請求項６】
請求項５に記載の方法であって、更に、
前記増幅器制御信号に応答して、増幅器制御信号及び増幅器切換信号を生成することが含まれる方法。
【請求項７】
請求項６に記載の方法であって、
前期増幅器切換信号は、前記増幅器制御信号の後、生成される方法。
【請求項８】
請求項７に記載の方法であって、
前記増幅器制御信号は、前記増幅器切換信号の生成が停止された後、継続して生成される方法。
【請求項９】
下り通信信号を受信し、また、上り通信信号をケーブルネットワークに送信するためのケーブルモデムであって、上り電力制御システムを有する前記ケーブルモデムにおいて、
上り通信をケーブルネットワークヘッドエンドに同期させるための制御回路であって、ここで制御信号が生成される前記制御回路と、
前記制御回路から同期化された上り通信信号を受信するための上り増幅器と、を含み、
前記制御信号によって、前記上り増幅器は、前記上りデータ信号の送信の間、電源がオンになり、前記上りデータ信号が送信されない時、電源がオフになり、これによって、前記ケーブルモデムの前記消費電力を低減するケーブルモデム。
【請求項１０】
請求項９に記載のシステムであって、
前記制御信号には、前記上り増幅器を制御するための増幅器制御信号と、前記上り増幅器をＲＦチューナに接続して、前記上りデータ信号を前記ネットワークヘッドエンドへ送信するための増幅器切換信号と、が含まれるシステム。
【請求項１１】
請求項１０に記載のシステムであって、
前記ＣＰＬＤは、前記増幅器制御信号が生成された後、前記増幅器切換信号を生成し、これによって、前記上り増幅器を安定化させるシステム。
【請求項１２】
請求項１１に記載のケーブルモデムであって、
前記ＣＰＬＤは、前記ＣＰＬＤが前記増幅器切換信号の生成を停止した後、前記増幅器制御信号の生成を継続し、これによって、前記上りデータ信号の打切りを回避するケーブルモデム。
【請求項１３】
請求項９に記載のシステムであって、前記制御回路には、
上り通信信号を同期化し、また、前記上り制御信号を出力するためのＭＡＣチップと、
前記ＭＡＣチップと前記上り増幅器とに接続されたプログラム可能な複合論理回路（ＣＰＬＤ）であって、前記ＭＡＣチップからの上り制御信号に応答して、前記増幅器制御信号及び前記増幅器切換信号を生成することによって、前記増幅器を制御する前記ＣＰＬＤと、が含まれるシステム。
【発明の詳細な説明】
【技術分野】
【０００１】
本発明は、ケーブルモデムに関し、特に、ケーブルモデムにおける消費電力の動的制御に関する。
【背景技術】
【０００２】
ケーブルモデムは、パーソナルコンピュータ（ＰＣ）とケーブルテレビ（ＣＡＴＶ）ネットワークとの間の最も重要なインターフェースである。ケーブルモデムは、ＰＣからのデジタルデータを変調して、ＣＡＴＶネットワークを介して送信し、最終的にインターネットへ送り、また、ＣＡＴＶネットワークを介して受信したデータをＰＣ用に復調する。近年、インターネットへのアクセスや電話サービスの提供等、データ転送のための付加的なサービスをサポートするＣＡＴＶネットワーク運用能力によって、標準的な映像サービス以外の情報サービスに対して、加入者のＣＡＴＶネットワーク利用に対する需要が爆発的に伸びている。ケーブルモデムの導入によりケーブル業者は、この需要に対応することが可能となった。これらのサービスは、通常、プレミアム付きで課金されるため、これらのサービスを既存のＣＡＴＶ加入者基盤に継続的に浸透させることは、ＣＡＴＶネットワーク業者の収益成長の強化にとって極めて重要である。
【０００３】
最近まで、ケーブルモデム提供業者は、ケーブルモデムの消費電力量に無関心であった。従って、従来技術のケーブルモデムには、電力制御の手段が一切備えられていなかった。しかしながら、近年、消費者は、消費電力量が最小限に抑えられるケーブルモデムを要求し始めている。
【０００４】
ケーブルモデムの動作に関して述べると、通常のデータ伝送プロファイルは、大量のデータが、下流側へ、ヘッドエンドを介してインターネットからＰＣへダウンロードされるプロファイルであり、ごく少量のデータが、ヘッドエンドを介してＰＣからインターネットへアップロードされる。更に、通常、ダウンロードされた情報をユーザが閲覧するにはある程度の時間がかかるため、ケーブルモデムが通電状態であっても実際にはデータを全く変調又は復調していない時間の割合が大きい。その結果、著しい電力の浪費が発生する。
【発明の開示】
【発明が解決しようとする課題】
【０００５】
従って、本発明の目的は、消費電力を低減するために、ケーブルモデムの消費電力が動的に制御されるシステムを提供することである。
【課題を解決するための手段】
【０００６】
ケーブルネットワークシステムを開示するが、このシステムにおいては、コンテンツプロバイダが、現行のケーブルネットワークを介して、インターネットプロトコル（ＩＰ）情報を加入者局に提供する。ネットワークヘッドエンドは、コンテンツプロバイダと加入者局との間に接続され、メディアアクセス制御（ＭＡＣ）プロトコルを用いて、ＩＰ情報を加入者局に対して送受信する。ケーブルモデムは、加入者局に位置し、ＭＡＣプロトコルを実装して、情報を翻訳しネットワークヘッドエンドへ送信する。
【０００７】
ネットワークヘッドエンドへの情報送信時のケーブルモデムが消費する電力量を低減するために、上り電力制御システムが実装される。この電力制御システムは、ＭＡＣチップ及びプログラム可能な複合論理回路（ＣＰＬＤ）を利用して、実現される。上り電力増幅器の電源はオンになり、また、上り信号が送信されない場合、電源はオフになる。上り電力増幅器の動的制御によって、ケーブルモデムによる電力消費量が低減される。
【発明を実施するための最良の形態】
【０００８】
好適な実施形態について、図を参照して説明するが、全ての図において、同様な数字は、同様の要素を表わす。
図1に示すケーブルネットワークシステムには、コンテンツプロバイダ３０、複数の加入者局５Ａ、５Ｂ…５Ｎ、及びネットワークヘッドエンド２０が含まれる。ネットワークヘッドエンド２０は、ネットワークプロバイダ３０と複数の加入者局５との双方に接続され、両者間における通信リンクとして機能する。本発明のために、コンテンツプロバイダ３０は、ＣＡＴＶネットワーク業者であり、前述のＣＡＴＶネットワークのインフラを介して、加入者局５にインターネットアクセスを提供し、加入者局５にＣＡＴＶ映像と音声のサービスを提供する。
【０００９】
ネットワークヘッドエンド２０は、複数の加入者局５Ａ−５Ｎからの上り通信に対するアクセスを調整する。当業者には既知の通り、メディアアクセス制御（ＭＡＣ）プロトコルによって、上りチャネルは効率的に共用可能である。ＭＡＣプロトコルの基本的な説明は次の通りである。即ち、加入者局５Ａは、情報信号を送信して、送信すべき情報があることをネットワークヘッドエンド２０に通知する。ネットワークヘッドエンド２０は、その要求を受信し、そして、加入者局５に対して、その要求が受信されたこと、及び、他の加入者局５Ｂ−５Ｎの送信との衝突が発生しなかったという肯定応答を送信する。肯定応答が一旦送信されると、ネットワークヘッドエンド２０は、その要求をスケジュール化し、メッセージを加入者局２０へ送り、情報送信のためのスロット数を許可する。
【００１０】
上述したＭＡＣプロトコルは、加入者局５Ａ…５Ｎのケーブルモデム１０内のＭＡＣチップ１２によって実行される。図２は、本発明の好適な実施形態に基づくケーブルモデム１０のブロック図を示す。ケーブルモデム１０には、ＭＡＣチップ１２、上り信号プロセッサ１５、下り信号プロセッサ１４、ＲＦチューナ１８、上り増幅器１１、プログラム可能な複合論理回路（ＣＰＬＤ）１３、汎用プロセッサ１６、メモリ１７、及びイーサネット、ユニバーサル・シリアル・バス（ＵＳＢ）又は（プラグインアダプタ用）ＰＣＩ等の周辺インターフェース１９が含まれる。
【００１１】
ネットワークヘッドエンド２０からの情報信号は、ケーブルモデム１０に送信される。ＲＦチューナ１８は、ネットワークヘッドエンド２０からの情報信号を調整して、下り信号プロセッサ１４に送る。
【００１２】
当業者には既知のように、下り信号プロセッサ１４は、ＭＰＥＧヘッダ抽出、ＤＯＣＳＩＳヘッダ抽出、ヘッダチェックサム及びＣＰＲ検証を実行する。一旦この情報が抽出されると、ＭＡＣチップ１２は、ネットワークヘッドエンド２０からの割当てメッセージを処理し、いつ上りデータを送信すべきか判断する。
【００１３】
ＭＡＣチップ１２は、同期化や帯域幅割当て等、時間が決定的に影響するメカニズム、ＭＡＰメッセージを処理し、また、他のＭＡＣメッセージを周辺インターフェース１９に出力する。ＭＡＣチップ１２は、ＣＰＬＤ１３、汎用プロセッサ１６、周辺インターフェース１９、及び上り信号プロセッサ１５に接続される。ネットワークヘッドエンド２０から送信されるＭＡＰメッセージは、上り信号プロセッサ１５に直接送信される。上り信号プロセッサ１５は、ＭＡＣチップ１２から抽出されたＭＡＰメッセージから上り割当て情報を翻訳し、データ送信を要求し割当てられた時間に実行する。
【００１４】
ＭＡＣチップ１２は、上り信号プロセッサ１５に送信される割当て情報と共に、上り電力制御システムも制御する。上述したように、従来技術のケーブルモデムは、一般的に、厳格な消費電力制約条件を備えておらず、従って、如何なる種類の電力制御も利用しようとしない。本発明の好適な実施形態によれば、ＭＡＣチップ１２は、上り電力制御信号ＵＳ＿ＯＥを出力する。上り電力制御信号ＵＳ＿ＯＥは、上りデータ送信の間にアサートにされ、上り電力増幅器の動作を制御する。
【００１５】
ＭＡＣチップ１２は、上り電力制御信号ＵＳ＿ＯＥ及びＭＡＣチップ１２クロック信号ＭＡＣ＿ＣＬＫをＣＰＬＤ１３へ出力する。ＣＰＬＤ１３は、ＭＡＣチップ１２と上り増幅器１１とに接続される。ＣＰＬＤ１３の目的は、上り増幅器制御信号ＵＳ＿ＡＭＰ、及び、上り増幅器切換信号ＵＳ＿Ｓｗｉｔｃｈ（ＭＡＣチップ１２上り電力制御信号ＵＳ＿ＯＥから生成される）を生成することである。上り増幅器制御信号ＵＳ＿ＡＭＰは、アサートされると、上り増幅器１１に信号を送り電源をオン状態にし、更にアサートされると、上り増幅器１１に信号を送り電源をオフ状態にする。上り増幅器切換信号ＵＳ＿Ｓｗｉは、上り増幅器１１を介して、上りデータの流れを制御する。上り増幅器切換信号ＵＳ＿Ｓｗｉがネゲートされると、上り増幅器１１は、上りデータを、上り信号プロセッサ１５へ、そして、更に、ＲＦチューナ１８へ送り、更にここから、ネットワークヘッドエンド２０へ送信できる。上り増幅器切換信号ＵＳ＿Ｓｗｉがアサートされると、上りデータは、上り増幅器１１によって、ネットワークヘッドエンド２０への出力を切断される。
【００１６】
当業者には明らかなように、ＭＡＣチップ１２、ＣＰＬＤ１３、汎用プロセッサ１６及びメモリ１７は、必要な電力制御信号を生成する単一のＡＳＩＣ５０に一体化し得る（図５参照）。
【００１７】
この上り電力制御システムのタイミングを図３に示す。点Ａには、アサート位置における信号ＵＳ＿ＯＥ、ＵＳ＿ＡＭＰ及びＵＳ＿Ｓｗｉが示されており、上りデータがヘッドエンドへ送信されていることを表している。点Ｂにおいて、ＵＳ＿ＯＥは、０に切換わり、データ送信が停止したことを示す。ＵＳ＿ＯＥが０になると、ＵＳ＿Ｓｗｉは１に切換わり、上り増幅器１１を上り信号プロセッサ１５から切断する。点Ｃにおいて、ＵＳ＿ＡＭＰは０に切換わり、上り増幅器１１の電源をオフする。点Ｂ及び点Ｃに示すように、上り増幅器切換信号ＵＳ＿Ｓｗｉは、上り増幅器１１が電源オフの信号を送られる前にオフ状態になる。このタイミング方式により、データの打切りが回避され、上りの不具合が低減する。
【００１８】
点Ｄにおいて、電力制御信号は、ＵＳ＿ＯＥを１に切換え、上りのデータ送信が近づいていること示す。同時に、上り増幅器制御信号ＵＳ＿ＡＭＰは、アサートされ、上り増幅器１１の電源をオンする。点Ｅにおいて、上り増幅器切換信号ＵＳ＿Ｓｗｉは、０に切換わり、上りデータをヘッドエンド２０に送信するために、上り増幅器１１を上り信号プロセッサ１５に接続する。点Ｄ及び点Ｅに示すように、上り増幅器切換信号ＵＳ＿Ｓｗｉは、上り増幅器１１の電源がオンされた後にオン状態になり、これによって、増幅器１１が安定するのに十分な時間が確保される。
【００１９】
データが一旦送信されると、再び、点Ｆにおいて、上り電力制御信号ＵＳ＿ＯＥは０に切換わり、上り増幅器切換信号ＵＳ＿Ｓｗｉは、１に切換わり、データ送信が終わったことを示す。所定の時間後、上り増幅器制御信号ＵＳ＿ＡＭＰは、ネゲートされ、上り増幅器１１の電源をオフにする。
【００２０】
上り電力制御システムのフロー図を図４に示す。ＭＡＣチップ１２が、上りデータ送信の割当て時間が近づいていることを検出すると、上り電力制御信号ＵＳ＿ＯＥはアサートされ、データ送信を示す（ステップ４０１）。ＭＡＣチップ１２からの上り電力制御信号ＵＳ＿ＯＥを利用して、ＣＰＬＤ１３は、上り増幅器制御信号ＵＳ＿ＡＭＰをアサートして（ステップ４０２）、上り増幅器１１の電源をオンする（ステップ４０３）。一旦上り増幅器１１の電源がオンされて安定化すると、ＣＰＬＤ１３は、次に、上り増幅器切換信号ＵＳ＿Ｓｗｉをアサートし（ステップ４０４）、これによって、上り増幅器１１は、上りデータを上り信号プロセッサ１５に送り（ステップ４０５）、更に、ネットワークヘッドエンド２０にまで送ることができる（ステップ４０６）。
【００２１】
ネットワークヘッドエンド２０によって割当てられた上りデータ送信のための割当て時間を使い切ると、又は、上りデータがネットワークヘッドエンド２０へ送信されると、ＭＡＣチップ１２は、上り電力制御信号ＵＳ＿ＯＥをネゲートし、データ送信が終わったことを示す（ステップ４０７）。ＣＰＬＤ１３は、上り増幅器切換信号ＵＳ＿Ｓｗｉをネゲートし、上り増幅器１１による上りデータの出力を切断する（ステップ４０８）。所定の時間後、ＣＰＬＤ１３は、上り増幅器制御信号ＵＳ＿ＡＭＰをネゲートし、上り増幅器の電源をオフする（ステップ４０９）。
【００２２】
本発明の好適な実施形態において説明したケーブルモデム１０の上り電力制御システムは、ケーブルモデム１０による消費電力量を低減する。この消費電力の低減は、上りデータ送信の間、上り増幅器１１の電源をオンにすることによって、また、上りデータ送信が終わった時、上り増幅器１１の電源をオフすることにより実現される。
【００２３】
本発明について、特定の実施形態を参照し説明してきたが、当業者には自明なように、明らかに本発明の範囲内にある様々な変更、変形を成し得る。本発明は、添付の請求項の精神と範囲内において広く保護されることを意図する。
【図面の簡単な説明】
【００２４】
【図１】ケーブルネットワークシステムを示す図。
【図２】本発明の好適な実施形態に基づくケーブルモデムのブロック図。
【図３】本発明の好適な実施形態に基づく上り電力制御のタイミング図。
【図４】本発明の好適な実施形態に基づく上り電力制御のフロー図。
【図５】ＡＳＩＣを組み込んだ本発明の好適な実施形態のブロック図。
【図１】
2004533147.tif 000003
【図２】
2004533147.tif 000004
【図３】
2004533147.tif 000005
【図４】
2004533147.tif 000006
【図５】
2004533147.tif 000007
【国際公開パンフレット】
2004533147.tif 000008
2004533147.tif 000009
2004533147.tif 000010
2004533147.tif 000011
2004533147.tif 000012
2004533147.tif 000013
2004533147.tif 000014
2004533147.tif 000015
2004533147.tif 000016
2004533147.tif 000017
2004533147.tif 000018
2004533147.tif 000019
2004533147.tif 000020
2004533147.tif 000021
2004533147.tif 000022
2004533147.tif 000023
【国際公開パンフレット（コレクトバージョン）】
2004533147.tif 000024
【手続補正書】
【提出日】平成15年4月4日(2003.4.4)
【手続補正１】
【補正対象書類名】特許請求の範囲
【補正対象項目名】全文
【補正方法】変更
【補正の内容】
【特許請求の範囲】
【請求項１】
下り通信信号を受信し、また、上り通信信号をケーブルネットワークに送信するためのケーブルモデムであって、消費電力を制御するための上り電力制御システムを有する前記ケーブルモデムにおいて、
上り通信信号を同期し、また、上り電力制御信号を出力するためのＭＡＣチップと、
前記ＭＡＣチップから同期化された上り通信信号を受信するための上り増幅器と、
前記ＭＡＣチップと前記上り増幅器とに接続されたプログラム可能な複合論理回路（ＣＰＬＤ）であって、前記ＣＰＬＤが、上り信号の送信の間、前記上り増幅器の電源をオンし、前記上り信号が送信されない時は、電源をオフするように、前記ＭＡＣチップからの上り電力制御信号に応答して前記増幅器を制御し、これによって、ケーブルモデムの消費電力を低減する前記ＣＰＬＤと、が含まれるケーブルモデム。
【請求項２】
請求項１に記載のケーブルモデムであって、
前記ＣＰＬＤは、前記上り増幅器をＲＦチューナに接続して前記上りデータ信号を前記ヘッドエンドに送信するための増幅器切換信号と、前記上り増幅器の電源のオン及びオフ用増幅器制御信号と、を生成するケーブルモデム。
【請求項３】
請求項２に記載のケーブルモデムであって、
前記ＣＰＬＤは、前記増幅器制御信号が生成された後、前記増幅器切換信号を生成し、これによって、前記上り増幅器を安定化させるケーブルモデム。
【請求項４】
請求項３に記載のケーブルモデムであって、
前記ＣＰＬＤは、前記ＣＰＬＤが前記増幅器切換信号の生成を停止した後、前記増幅器制御信号の生成を継続し、これによって、前記上りデータ信号の打切りが回避されるケーブルモデム。
【請求項５】
ケーブルモデム用の上り電力制御の方法であって、
電力制御信号と共に選択的に上り非増幅通信信号を生成する段階と、
上り増幅器は、前記非増幅信号が生成された場合、電源がオンになり前記非増幅信号を増幅し、また、上り通信信号が生成されない場合、電源がオフになるように、前記電力制御信号に応答して上り増幅器を制御する段階であって、これによって、前記ケーブルモデムの消費電力を低減する前記段階と、が含まれる方法。
【請求項６】
請求項５に記載の方法であって、更に、
前記電力制御信号に応答して、増幅器制御信号及び増幅器切換信号を生成する段階が含まれる方法。
【請求項７】
請求項６に記載の方法であって、
前記増幅器切換信号は、前記増幅器制御信号の後、生成される方法。
【請求項８】
請求項７に記載の方法であって、
前記増幅器制御信号は、前記増幅器切換信号の生成が停止された後、継続して生成される方法。
【請求項９】
下り通信信号を受信し、また、上り通信信号をケーブルネットワークに送信するためのケーブルモデムであって、上り電力制御システムを有する前記ケーブルモデムにおいて、
上り通信をケーブルネットワークヘッドエンドに同期させるための電力制御回路であって、ここで電力制御信号が生成される前記電力制御回路と、
前記電力制御回路から同期化された上り通信信号を受信するための上り増幅器と、を含み、
前記電力制御信号によって、前記上り増幅器は、上り通信信号の送信の間、電源がオンになり、上り通信信号が送信されない時、電源がオフになり、これによって、前記ケーブルモデムの前記消費電力を低減するケーブルモデム。
【請求項１０】
請求項９に記載のケーブルモデムであって、
前記電力制御信号には、前記上り増幅器を制御するための増幅器制御信号と、前記上り増幅器をＲＦチューナに接続して、上り通信信号を前記ネットワークヘッドエンドへ送信するための増幅器切換信号と、が含まれるケーブルモデム。
【請求項１１】
請求項１０に記載のケーブルモデムであって、更に、
プログラム可能な複合論理回路（ＣＰＬＤ）であって、前記増幅器制御信号が生成された後、前記増幅器切換信号を生成し、これによって、前記上り増幅器を安定化させる前記ＣＰＬＤが含まれるケーブルモデム。
【請求項１２】
請求項１１に記載のケーブルモデムであって、
前記ＣＰＬＤは、前記ＣＰＬＤが前記増幅器切換信号の生成を停止した後、前記増幅器制御信号の生成を継続し、これによって、前記上りデータ信号の打切りを回避するケーブルモデム。
【請求項１３】
請求項９に記載のケーブルモデムであって、前記電力制御回路には、
上り通信信号を同期化し、また、前記上り電力制御信号を出力するためのＭＡＣチップと、
前記ＭＡＣチップと前記上り増幅器とに接続されたプログラム可能な複合論理回路（ＣＰＬＤ）であって、前記ＭＡＣチップからの前記上り電力制御信号に応答して、前記増幅器制御信号及び前記増幅器切換信号を生成することによって、前記増幅器を制御する前記ＣＰＬＤと、が含まれるケーブルモデム。
【国際調査報告】
2004533147.tif 000025
2004533147.tif 000026